(57)【要約】【課題】機能面も考慮しつつ、ハンドルを二分割しても「全体として一つのハンドル」に見えること。【解決手段】扉の壁面に固定された第１台座と、第１台座に対して所要間隔を有して壁面に固定された第２台座と、第１台座にその基端部側がハンドル枢軸を介して軸支されていると共に、その他端部側が第２台座に連係手段を介して連結されたハンドルと、このハンドルの前記ハンドル枢軸側に方向変換片を介して設けられ、かつ箱体内に設けられた駆動体に係合する突片状作動片と、ハンドルを初期位置へと戻す付勢手段とから成るハンドル装置であって、ハンドルはプッシュ式ハンドルであり、該プッシュ式ハンドルは握り部分を有する長尺状の直接ハンドルと、その外観上の外表面部分がプッシュ式ハンドルの一部を構成するように前記直接ハンドルの自由端部に可動結合ピンを介して接続状態に軸支されかつ連係手段を介して第２台座に連結された短杆状の間接ハンドルとから成るハンドル装置。【選択図】図４
2015092051.tif 000002
【特許請求の範囲】
【請求項１】
扉の壁面に固定された第１台座と、この第１台座に対して所要間隔を有して前記壁面に固定された第２台座と、前記第１台座にその基端部側がハンドル枢軸を介して軸支されていると共に、その他端部側が前記第２台座に連係手段を介して連結されたハンドルと、このハンドルの前記ハンドル枢軸側に方向変換片を介して設けられ、かつ箱体内に設けられた駆動体に係合する突片状作動片と、前記ハンドルを初期位置へと戻す付勢手段とから成るハンドル装置であって、
前記ハンドルはプッシュ式ハンドルであり、該プッシュ式ハンドルは握り部分を有する長尺状の直接ハンドルと、その外観上の外表面部分がプッシュ式ハンドルの一部を構成するように前記直接ハンドルの自由端部に可動結合ピンを介して接続状態に軸支されかつ前記連係手段を介して前記第２台座に連結された短杆状の間接ハンドルとから成るハンドル装置。
【請求項２】
請求項１に於いて、プッシュ式ハンドルの基端部の内面にハンドル枢軸に軸支される枢着部が突設され、また前記基端部寄りの内面に突設された枢着部側連結突起部分に方向変換片の一端部が枢着され、その他端部に第２固定軸に軸支されたテコ式の突片状作動片の一端部が連結され、該突片状作動片の他端部はプッシュ式ハンドルの作用端部として箱体内に設けられた駆動体に係合することを特徴とするハンドル装置。
【請求項３】
請求項１に於いて、短杆状の間接ハンドルは、ケース状の第２台座の前面開口に対して盤状体に形成され、またその外表面部分の左右側面に指詰防止用側壁が突片状に連設形成され、これらの突片状指詰防止用側壁と前面側に開口部を有するケース状の第２台座の左右側壁との間には、少なくとも指が入り込むような間隙を有しないことを特徴とするハンドル装置。
【請求項４】
請求項１に於いて、長尺状の直接ハンドルの自由端部に第２台座内に突出する指先状のハンドル補助片が設けられ、該指先状ハンドル補助片は、該長尺状の直接ハンドルをプッシュした際、手首が曲がるように位置変位したプッシュ式ハンドルの関節部分に余分な負荷がかからないように第２台座の内壁面に当接することを特徴とするハンドル装置。
【請求項５】
請求項１に於いて、長尺状の直接ハンドルの自由端部に第２台座内に突出する指先状のハンドル補助片が設けられ、該指先状ハンドル補助片は、プッシュ式ハンドルが付勢手段の付勢力により初期位置へと戻ったとき、プッシュ式ハンドルの関節部分に余分な負荷がかからないように、ハンドル補助片に設けたストップ部が短杆状の間接ハンドルの内壁面に当接すると同時に、短杆状の間接ハンドルの自由端部の内側突出部分も第２台座の内壁面に直接又は間接的に当接することを特徴とするハンドル装置。
【請求項６】
扉の壁面に固定された第１台座と、この第１台座に対して所要間隔を有して前記壁面に固定された第２台座と、前記第１台座にその基端部側がハンドル枢軸を介して軸支されていると共に、その他端部側が前記第２台座に連係手段を介して連結されたハンドルと、このハンドルの前記ハンドル枢軸側に設けられかつ箱体内に設けられた駆動体に係合する突片状作動片と、前記ハンドルを初期位置へと戻す付勢手段とから成るハンドル装置であって、前記ハンドルはプル式ハンドルであり、該プル式ハンドルは握り部分を有する長尺状の直接ハンドルと、その外観上の外表面部分がプル式ハンドルの一部を構成するように前記直接ハンドルの自由端部に可動結合ピンを介して接続状態に軸支されかつ前記連係手段を介して前記第２台座に連結された短杆状の間接ハンドルとから成るハンドル装置。
【請求項７】
請求項６に於いて、プル式ハンドルの操作部材の基端部の内面にハンドル枢軸に軸支される枢着部が突設され、また前記基端部寄りの内面に突設された枢着部側連結突起部分にその中央部が第１台座側固定軸に軸支されたテコ式の突片状作動片の一端部が可動軸を介して直接的に連結され、該突片状作動片の他端部はプル式ハンドルの作用端部として箱体内に設けられた駆動体に係合することを特徴とするハンドル装置。
【請求項８】
請求項６に於いて、短杆状の間接ハンドルは、ケース状の第２台座の前面開口に対して盤状体に形成され、またその外表面部分の左右側面に突片状の指詰防止用側壁が連設形成され、これらの突片状指詰防止用側壁と前面側に開口部を有するケース状の第２台座の左右側壁との間には、少なくとも指が入り込むような間隙を有しないことを特徴とするハンドル装置。
【請求項９】
請求項６に於いて、長尺状の直接ハンドルの自由端部に第２台座内に突出する指先状のハンドル補助片が設けられ、該指先状ハンドル補助片は、プル式ハンドルが付勢手段の付勢力により初期位置へと戻ったとき、第２台座の内壁面に直接又は間接的に当接することを特徴とするハンドル装置。
【請求項１０】
請求項６に於いて、プル式ハンドルをプルした際、手首が曲がるように位置変位したプル式ハンドルの関節部分に余分な負荷がかからないように短杆状の間接ハンドルの一端部が第２台座の端部の外壁面に当接すると同時に、該短杆状の間接ハンドルの他端部が長尺状の直接ハンドルの自由端部の外壁面又は該長尺状の直接ハンドルの自由端部に設けたハンドル補助片の外壁面のいずれかに当接することを特徴とするハンドル装置。
【請求項１１】
扉の壁面に固定された第１台座と、この第１台座に対して所要間隔を有して前記壁面に固定された第２台座と、前記第１台座にその基端部側がハンドル枢軸を介して軸支されていると共に、その他端部側が前記第２台座に連係手段を介して連結されたハンドルと、このハンドルの前記ハンドル枢軸側に直接又は間接的に設けられ、かつ箱体内に設けられた駆動体に係合する突片状作動片と、前記ハンドルを初期位置へと戻す付勢手段とから成るハンドル装置であって、前記ハンドルは内側のプッシュ式ハンドルと、該プッシュ式ハンドルの外観上の外表面部分に対応する外側のプル式ハンドルの両方であり、これらのハンドルは、それぞれ握り部分を有する長尺状の直接ハンドルと、その外観上の外表面部分がそれぞれハンドルの一部を構成するように前記直接ハンドルの自由端部に可動結合ピンを介して接続状態に軸支されかつ前記連係手段を介して前記第２台座に連結された短杆状の間接ハンドルとから成るハンドル装置。
【発明の詳細な説明】
【技術分野】
【０００１】
本発明は、建具としての扉の壁面に取り付けられるハンドル装置に関し、望ましくは、ラッチ錠又は／及び内外気圧差解消装置を備えた扉の壁面に取り付けられるプッシュ・プル式のハンドル装置に関する。
【背景技術】
【０００２】
特許文献１のハンドル装置は、扉１の開放端側に設けられるラッチ錠９と、扉内外の扉面に縦向き又は横向きにハンドルを取り付けるための座１２、１３と、この座のそれぞれに押し引き可能に保持されるハンドル１１ａ、１１と、ハンドルを押し引きの中間位置に保持するバネ１４、１４と、中間位置からのハンドルの押し操作並びに引き操作によって、縦向きハンドルが取り付けられたときには縦向きハンドル用の操作部材２７を作動させ、横向きハンドルが取り付けられたときには横向きハンドル用の操作部材２８を作動させて、ラッチ錠９のラッチ１６の後退を許容させる作動機構１５、１５を設けている（符号は特許文献１に記載のもの）。
【０００３】
この特許文献１のハンドル１１ａ、１１は、いわゆるプッシュ・プル式の操作部材であり、該操作部材の基端部には、錠箱内に突出する内外の作動片４５ａ、４５ｂが設けられている。これら内外の作動片４５ａ、４５ｂのいずれかが錠箱の上下方向（図３参照）又は左右方向（図１３参照）に移動すると、上下一対のラッチ規制部材（ロッキングピース）２２、２２がラッチ１６の規制を解く方向へ回転する。
【０００４】
一方、特許文献２には、操作部材が、例えば操作軸を有するレバーハンドルであって、前記操作軸の回転によりラッチボルト（棒状体）が後退した後に、該操作軸のさらなる回転操作によって、「抉じ開けラッチ８３」が扉枠側の反力部材（３９、１２１）に扉を抉じ開けるように圧接する事項（内外気圧差解消装置）が記載されている（符号は特許文献２に記載のもの）。
【０００５】
例えば特許文献２に記載のような扉の開動助勢装置は、扉の自由端部に設けられた錠箱内に摺動或いは回動可能に設けられた駆動体に大きなモーメントを掛けないようにすることが要望されている。それは扉の開動助勢装置を構成する抉じ開け杆に戸枠側から反力が掛かるからである。
【０００６】
ところで、出願人は、貴庁に内外気圧差解消装置（扉の開動助勢装置）を出願している。特願２０１２−２４６５９号（ＭＰ２４０１０２）もその一つである。図１及び図２は、出願公開前の該特許出願（先願）の内外のハンドル装置の具体的な構成を記述している。
【０００７】
これらの図に於いて、符号Ｙは室内のハンドル装置、一方、Ｚは室外のハンドル装置である。これらの図から明らかなように、内外の操作手段９、１０はプッシュ・プル方式のハンドルである。プル側の外側操作部材１０は、扉を開く矢印Ａ方向へプル可能である。また、プッシュ側の内側操作部材９も同様に扉を開く矢印Ａ方向へプッシュ可能である。
【０００８】
ここで、各ハンドル装置を説明すると、まず図面上右側のプル側のハンドル装置Ｚは、扉７の外壁面７ｂに所定間隔を有して固定される上下一組の台座１５、１６と、これらの台座に架設した状態で両端部が支持されると共に、付勢バネ１７により初期位置に付勢された外側操作部材１０と、この外側操作部材を握って扉７を開く方向Ａへプルすると、外側操作部材の一端部を軸支するハンドル枢軸１８が支点となって前記台座の一方の台座（この実施例では上方台座）１５に第１固定軸１９を介して軸支され、かつ、該外側操作部材の他端部に連結された作動リンク２０のガイドピンン２１ａが案内長孔２１ｂに案内されて台座１５の外方向へ所定量位置変位すると共に、該作動リンク２０に連動するように前記一方の台座１５に第２固定軸２２を介して軸支された連動レバー（ここでは「外の作動片」という。）２３とから成る。
【０００９】
そして、前記作動リンク２０はテコ式の長杆片であり、前記第１固定軸１９を基準として、その長梃側端部が前記外側操作部材１０の一端部に連結ピン２１を介して軸支されていると共に、その基端部側に作動係合歯２４が形成され、また連動レバー（外の作動片）２３も片手形状のテコ式の長杆片であり、第２固定軸２２を基準として、その長梃部分の先端部がラッチ錠Ｘの錠箱８に内装の扉の開動助勢機構５１を構成する駆動体（例えばスライダー）５２に係合すると共に、その基端部側に前記作動係合歯２４に常時係合する従動係合歯２５が形成されている。
【００１０】
次に図面左側のプッシュ側のハンドル装置Ｙは、扉７の内壁面７ｃに所定間隔を有して固定される上下一組の台座２８、２７と、これらの台座に架設した状態で両端部が支持されると共に付勢バネ２９により初期位置に付勢された内側操作部材９と、この内側操作部材を扉７の開く方向Ａへプッシュすると、内側操作部９の一端部を軸支する図面下方のハンドル枢軸３０が支点となって図面上方の一方の台座２７に第１固定軸３１を介して軸支されかつ該内側操作部材９の自由端部に連結された作動リンク３２のガイドピン３３ａが台座２７の内方向へ所定量位置変位すると共に、該作動リンク３２に連動するように前記台座２７に第２固定軸３４を介して軸支されたＴ型状の連動レバー（ここでは「内の作動片３５」という。）とから成る。
【００１１】
上記作動リンク３２も長杆状に形成されており、一方、前記連動レバー（内の作動片）３５はＴ字形状或いはアングル形状に形成され、回転半径の異なる前記作動リンク３２及び連動レバー３５の各中間部分は、連係手段３６（ガイドピン３３ａ、案内長孔３３ｂ）を介して互いに係合し、また前記連動レバー３５の先端部に相当する作用端部は、一方の台座２７の取付けベース面から突出した状態で前記ラッチ錠Ｘの扉の開動助勢機構５１を構成するスライダー５２と係合する。
【００１２】
付言すると、外と内の各作動片２３、３５は、一つの長孔を有するブロック状又はコ字形状のいずれかに形成された駆動体５２と係合し、該駆動体は、ハンドル側の内外の作動片２３、３５がそれぞれ選択的に移動する方向と同一方向（この第１実施形態では上方向）に移動する。なお、符号３３は内側操作部材９の一端部を枢支する連結ピンである。
【００１３】
出願人が提案した先願の内外の操作手段（ハンドル）９、１０は、それぞれハンドル本体９、１０の自由端部に作動リンク２０、３２を有するものの、これらの作動リンク２０、３２は、第２台座（上方台座）２７、１５の中にそれぞれ収納されているので、外観上、その外表面部分がハンドルの一部を構成するものではない。
【００１４】
したがって、ハンドルの機能美（特に内側の作動リンク２０を間接的に操作する形態）を生かしつつ、ハンドルを全体として長尺状にすることができないという問題点があった。また、ハンドルの自由端部と第２台座（上方台座）２７、１５の周縁との間に隙間が生ずると指を挟むという問題点があった。加えて、操作時にハンドルに余分な力が加わると、ハンドルと作動リンク２０、３２の連結部分（関節部分）や連係手段が破損する恐れがあった。
【先行技術文献】
【特許文献】
【００１５】
【特許文献１】特開平１１−１４８２５９号公報
【特許文献２】特許第４２９５５９６号公報
【発明の概要】
【発明が解決しようとする課題】
【００１６】
本願発明の目的は、出願人が提案した先願の問題点に鑑み、プッシュ又は／及びプルする量を少なくしても、箱体の一例である錠箱内の駆動体と係合する出力側の突片状作動片の回転角を大きくすることができることを前提として、さらにハンドルの機能美（特に、内側の短杆状の間接ハンドルも操作可能）を生かしつつ、ハンドルを二分割しても、外観上、ハンドルを全体として一つの長尺形態にすることである。また、内外のハンドルの外表面の構成を統一させることである。第２の目的は、所望の操作量を確保した場合に於いて、手首が折れ曲がるように位置変位する短杆状の間接ハンドルと該間接ハンドルを、連係手段を介して支持する第２台座との縁部分の隙間に指を挟まないようにすることである（指詰め防止）。第３の目的は、例えば大きい操作量を確保しても、手首が曲がるように位置変位した可動結合ピンを含むハンドルの関節部分等が破損しないようにすることである。付言すると、望ましくは、内外のハンドルをそれぞれプッシュとプルの方向へ操作した場合、及び、内外のハンドルがそれぞれ付勢手段の付勢力により初期位置へと戻った場合にも、いわば手首に相当するハンドルの関節部分に余分が負荷か加わらないようにすることである。その他の目的は、錠箱内に扉の開動助勢機構を備えたラッチ錠に適合することである。
【課題を解決するための手段】
【００１７】
本願発明のハンドル装置は、扉の壁面に固定された第１台座と、この第１台座に対して所要間隔を有して前記壁面に固定された第２台座と、前記第１台座にその基端部側がハンドル枢軸を介して軸支されていると共に、その他端部側が前記第２台座に連係手段を介して連結されたハンドルと、このハンドルの前記ハンドル枢軸側に方向変換片を介して設けられ、かつ箱体内に設けられた駆動体に係合する突片状作動片と、前記ハンドルを初期位置へと戻す付勢手段とから成るハンドル装置であって、前記ハンドルはプッシュ式ハンドルであり、該プッシュ式ハンドルは握り部分を有する長尺状の直接ハンドルと、その外観上の外表面部分がプッシュ式ハンドルの一部を構成するように前記直接ハンドルの自由端部に可動結合ピンを介して接続状態に軸支されかつ前記連係手段を介して前記第２台座に連結された短杆状の間接ハンドルとから成ることを特徴とする。
【００１８】
また、本願発明のハンドル装置は、扉の壁面に固定された第１台座と、この第１台座に対して所要間隔を有して前記壁面に固定された第２台座と、前記第１台座にその基端部側がハンドル枢軸を介して軸支されていると共に、その他端部側が前記第２台座に連係手段を介して連結されたハンドルと、このハンドルの前記ハンドル枢軸側に設けられかつ箱体内に設けられた駆動体に係合する突片状作動片と、前記ハンドルを初期位置へと戻す付勢手段とから成るハンドル装置であって、前記ハンドルはプル式ハンドルであり、該プル式ハンドルは握り部分を有する長尺状の直接ハンドルと、その外観上の外表面部分がプル式ハンドルの一部を構成するように前記直接ハンドルの自由端部に可動結合ピンを介して接続状態に軸支されかつ前記連係手段を介して前記第２台座に連結された短杆状の間接ハンドルとから成ることを特徴とする。
【００１９】
さらに、扉の壁面に固定された第１台座と、この第１台座に対して所要間隔を有して前記壁面に固定された第２台座と、前記第１台座にその基端部側がハンドル枢軸を介して軸支されていると共に、その他端部側が前記第２台座に連係手段を介して連結されたハンドルと、このハンドルの前記ハンドル枢軸側に直接又は間接的に設けられ、かつ箱体内に設けられた駆動体に係合する突片状作動片と、前記ハンドルを初期位置へと戻す付勢手段とから成るハンドル装置であって、前記ハンドルは内側のプッシュ式ハンドルと、該プッシュ式ハンドルの外観上の外表面部分に対応する外側のプル式ハンドルの両方であり、これらのハンドルは、それぞれ握り部分を有する長尺状の直接ハンドルと、その外観上の外表面部分がそれぞれハンドルの一部を構成するように前記直接ハンドルの自由端部に可動結合ピンを介して接続状態に軸支されかつ前記連係手段を介して前記第２台座に連結された短杆状の間接ハンドルとから成ることを特徴とする。
【００２０】
上記構成のプッシュ式ハンドルの場合には、その基端部の内面にハンドル枢軸に軸支される枢着部が突設され、また前記基端部寄りの内面に突設された枢着部側連結突起部分に方向変換片の一端部が枢着され、その他端部に第２固定軸に軸支されたテコ式の突片状作動片の一端部が連結され、該突片状作動片の他端部はプッシュ式ハンドルの作用端部として箱体内に設けられた駆動体に係合することを特徴とする（請求項２）。また短杆状の間接ハンドルは、ケース状の第２台座の前面開口に対して盤状体に形成され、またその外表面部分の左右側面に指詰防止用側壁が突片状に連設形成され、これらの突片状指詰防止用側壁と前面側に開口部を有するケース状の第２台座の左右側壁との間には、少なくとも指が入り込むような間隙を有しないことを特徴とする（請求項３）。また長尺状の直接ハンドルの自由端部に第２台座内に突出する指先状のハンドル補助片が設けられ、該指先状ハンドル補助片は、該長尺状の直接ハンドルをプッシュした際、手首が曲がるように位置変位したプッシュ式ハンドルの関節部分に余分な負荷がかからないように第２台座の内壁面に当接することを特徴とする（請求項４）。さらに、長尺状の直接ハンドルの自由端部に第２台座内に突出する指先状のハンドル補助片が設けられ、該指先状ハンドル補助片は、プッシュ式ハンドルが付勢手段の付勢力により初期位置へと戻ったとき、プッシュ式ハンドルの関節部分に余分な負荷がかからないように、ハンドル補助片に設けたストップ部が短杆状の間接ハンドルの内壁面に当接すると同時に、短杆状の間接ハンドルの自由端部の内側突出部分も第２台座の内壁面に直接又は間接的に当接することを特徴とする（請求項５）。
【００２１】
一方、上記構成のプル式ハンドルの場合には、プル式ハンドルの操作部材の基端部の内面にハンドル枢軸に軸支される枢着部が突設され、また前記基端部寄りの内面に突設された枢着部側連結突起部分にその中央部が第１台座側固定軸に軸支されたテコ式の突片状作動片の一端部が可動軸を介して直接的に連結され、該突片状作動片の他端部はプル式ハンドルの作用端部として箱体内に設けられた駆動体に係合することを特徴とする（請求項７）。また短杆状の間接ハンドルは、ケース状の第２台座の前面開口に対して盤状体に形成され、またその外表面部分の左右側面に突片状の指詰防止用側壁が連設形成され、これらの突片状指詰防止用側壁と前面側に開口部を有するケース状の第２台座の左右側壁との間には、少なくとも指が入り込むような間隙を有しないことを特徴とする（請求項８）。また長尺状の直接ハンドルの自由端部に第２台座内に突出する指先状のハンドル補助片が設けられ、該指先状ハンドル補助片は、プル式ハンドルが付勢手段の付勢力により初期位置へと戻ったとき、第２台座の内壁面に直接又は間接的に当接することを特徴とする（請求項９）。さらに、プル式ハンドルをプルした際、手首が曲がるように位置変位したプル式ハンドルの関節部分に余分な負荷がかからないように短杆状の間接ハンドルの一端部が第２台座の端部の外壁面に当接すると同時に、該短杆状の間接ハンドルの他端部が長尺状の直接ハンドルの自由端部の外壁面又は該長尺状の直接ハンドルの自由端部に設けたハンドル補助片の外壁面のいずれかに当接することを特徴とする（請求項１０）。ここで「箱体」は、ラッチを備えた錠箱又は／及び扉の開動助勢機構を備えた錠箱或いは箱体である。
【発明の効果】
【００２２】
（ａ）請求項１、請求項６及び請求項１１の各独立請求項に記載の発明は、箱体内の駆動体に係合する突片状作動片を、ハンドル枢軸側に直接又は間接的に設けたので、いわゆるバールの操作原理により、小さな操作力であっても、プッシュ（押す）又は／及びプル（引く）ことができると共に、突片状作動片の作用端部に大きな力が作用するので、前記駆動体を容易に動かすことができる。したがって、例えばラッチ錠の仮施錠状態を解くために駆動体を動かす場合や錠箱内に設けた扉の開動助勢機構を構成する駆動体を動かす場合に適合する。そして、さらに本発明のハンドルは、握り部分を有する長尺状の直接ハンドルと、その外観上の外表面部分がハンドルの一部を構成するように前記直接ハンドルの自由端部に可動結合ピンを介して接続状態に軸支され、かつ連係手段を介して連結された短杆状の間接ハンドルとから成るので、ハンドルの機能美（例えば内側の短杆状の間接ハンドルも操作可能）を生かしつつ、外観上、ハンドルを全体として一つの長尺体にすることができる。付言すると、ハンドルの機能面と意匠の美観面の両方を満足させることができる。
（ｂ）特に請求項１１は、ドアの壁面に対する内外のハンドルの形態に関して、前記（ａ）の効果を生かしつつ、その外表面の形状を機能美の観点から統一させることができる。
（ｃ）請求項２並びに請求項７に記載の発明は、ハンドル枢軸よりも多少離れた基端部寄りの内面に枢着部側連結突起部分を突設し、該枢着部側連結突起部分に動力変換用の第１ハンドル連結作動リンクを介在させて突片状作動片を回転させたので（第１実施形態）、傾倒する物（ハンドル）との関係で、ハンドル枢軸の先端部に突片状作動片を設ける実施形態（図３）よりも、該突片状作動片の作用端部の振れ角（回転角）を大きく取ることができる。また、基端部寄りの内面に突設された枢着部側連結突起部分に第１ハンドル連結作動リンクの一端部が枢着され、該第１ハンドル連結作動リンクは、その中央部が第１固定軸で軸支されていると共に、その他端部に第２固定軸に軸支されたテコ式の突片状作動片の一端部が連結されているので、ハンドル装置がプッシュ（押す）及びプル（引く）のセット物である実施形態の場合には、相手側（例えばプル側）のテコ式の突片状作動片の方向に合わせることができるように「方向変換」させることができる。
（ｄ）請求項３並びに請求項８に記載の発明は、短杆状の間接ハンドルは、その上端部がケース状の第２台座（上方台座）の前面開口に対して盤状体に形成され、またその外表面部分の周側面に突片状の指詰防止用側壁が連設形成され、これらの突片状指詰防止用側壁と前面側に開口部を有するケース状の第２台座の左右の側壁との間には、少なくとも指が入り込むような間隙を有しないので、長尺状の直接ハンドルの自由端部や短杆状の間接ハンドルを操作しても、指を詰める恐れがない。
（ｅ）請求項４に記載の発明は、長尺状の直接ハンドルの自由端部に第２台座内に突出する指先状のハンドル補助片が設けられ、該指先状ハンドル補助片は、該長尺状の直接ハンドルをプッシュした際、手首が曲がるように位置変位したプッシュ式ハンドルの関節部分に余分な負荷がかからないように第２台座の内壁面に当接するので、確実に本発明の第３の目的（関節部分等の損傷防止）を達成することができる。
（ｆ）請求項５に記載の発明は、プッシュ式ハンドルを初期位置へ戻した場合に於いても、プッシュした場合と同様に本発明の第３の目的を達成することができる。
（ｇ）請求項９に記載の発明は、長尺状の直接ハンドルの自由端部に第２台座内に突出する指先状のハンドル補助片が設けられ、該指先状ハンドル補助片は、プル式ハンドルが付勢手段の付勢力により初期位置へと戻ったとき、第２台座の内壁面に直接又は間接的に当接するので、指先状のハンドル補助片のストッパー作用により、本発明の第３の目的を達成することができる。
（ｈ）請求項１０に記載の発明は、プル式ハンドルをプルした際、手首が曲がるように位置変位したプル式ハンドルの関節部分に余分な負荷がかからないように短杆状の間接ハンドルの一端部が第２台座の端部の外壁面に当接すると同時に、該短杆状の間接ハンドルの他端部が長尺状の直接ハンドルの自由端部の外壁面又は該長尺状の直接ハンドルの自由端部に設けたハンドル補助片の外壁面のいずれかに当接するので、確実に本発明の第３の目的を達成することができる。
【図面の簡単な説明】
【００２３】
図１及び図２は出願人が提案した先願のハンドル装置の一例を示す各説明図、図３は本発明の技術的思想を示す概略説明図、図４乃至図１９は本発明の第１実施形態を示す各説明図、図２０至図２９は本発明の第２実施形態を示す各説明図である。
【図１】先願のハンドル装置の各説明図。
【図２】図１における要部の概略断面説明図。
【図３】本発明の技術的思想を示す概略説明図。
【図４】第１実施形態の内外のハンドル装置の説明図。
【図５】内側操作部材（ハンドル）の全体の説明図。
【図６】図５に於いて、第１台座（下方台座）側の構成を示す説明図。
【図７】図６に於いて、構成部材の一部を分離した説明図。
【図８】第１台座（下方台座）の説明図。
【図９】直接ハンドルの枢着部側（下端部）の構成、方向変換片、突片状作動片等の説明図。
【図１０】第２台座（上方台座）側の構成を示す説明図。
【図１１】図１０於いて、構成部材の一部を分離した説明図。
【図１２】直接ハンドルの一部、間接ハンドル等を含む第２台座（上方台座）の説明図。
【図１３】ハンドルの説明図。
【図１４】内側操作部材の初期状態から作動した状態の概略説明図。
【図１５】外側操作部材（ハンドル）の全体の説明図（初期状態）。
【図１６】外側操作部材をプルした状態の概略説明図。
【図１７】外側操作部材の要部（外側の作動片）の説明図。
【図１８】外側操作部材の要部（直接ハンドルの下端部側）の説明図。
【図１９】室内側から扉の内壁面を見た環境説明図。
【図２０】第２実施形態の内外のハンドル装置の説明図。
【図２１】図２０を基準とする右側面視からの外観構成を示す説明図（プッシュ側）。
【図２２】図２０を基準とする左側面視からの外観構成を示す説明図（プル側）。
【図２３】図１２と同様に、直接ハンドルの一部、間接ハンドル等を含む第２台座（上方台座）の説明図。
【図２４】第２実施形態の要部（プッシュ側の上下のストップ部）の説明図。
【図２５】図１４と同様に、内側操作部材の初期状態から作動した状態の概略説明図。
【図２６】図１５と同様に、外側操作部材（ハンドル）の全体の説明図（初期状態）。
【図２７】プル側の直接ハンドルの一部、間接ハンドル等を含む第２台座（上方台座）の説明図。
【図２８】第２実施形態の要部（プル側の上下のストップ部）の説明図。
【図２９】外側操作部材をプルした状態の概略説明図。
【発明を実施するための最良の形態】
【００２４】
まず、図３の実施形態を参照にして本発明の技術的思想を説明する。なお、本発明の技術的思想及び後述の実施形態を説明するに当たって、図１及び図２で示した先願の実施形態と同一の部分には同一の符号を付して重複する説明を割愛する。
【００２５】
図３はプッシュ側のハンドル装置Ｙで、（ａ）は初期状態、一方（ｂ）は内側操作部材９を矢印Ａ方向へプッシュした状態である。図２ではプッシュ側のハンドル装置Ｙを左側に示しているのに対して、図３では右側に示しているが、両者の使用態様に差異はない。以下、長杆状の内側のハンドル９を「内側操作部材９」という。
【００２６】
さて、図３で示すように、本発明では、内側操作部材９を「バール（ｃｒｏｗｂａｒ）」形式にし、図面下方の支点３０側に作用端部としての杵３５を設け、普通一般に内側操作部材９を握り締める箇所（ポイント）Ｐが内側操作部材９の作用点である前記杵３５よりも遠ざかるように構成している。その結果、バール操作の原理により、小さな操作力であっても、杵３５の作用端に大きな力が加わり、駆動体５２を容易に動かすことができる。
【００２７】
図３に於いて、７ｃは扉７の内壁面、２７は上方台座（第２台座）、２８は下方台座（第１台座）、３０は内側操作部材９の基端部（下端部）を軸支するハンドル枢軸、３５はハンドル枢軸側に設けられたハンドルの作用点を有する杵、５２は、例えばラッチ錠の錠箱８や扉の開動助勢機構を備えた箱体に内装された駆動体（例えばスライダー）である。
【００２８】
一方、図面上方の３６は、上方台座２７側の連係手段、２９はハンドル用の付勢バネである。前記連係手段３６は内側操作部材９の上端部に設けられたガイドピン（可動ピン）３３ａと、上方の台座２７に直接又は間接的に設けられたガイド孔３３ｂとから成る。また前記内側操作部材９を初期位置へと付勢する付勢バネ２９の一端部２９ａは、台座２７に支持され、一方、その作用端２９ｂはガイドピン３３ａに圧接している。
【００２９】
上記構成に於いて、図３（ｂ）で示すように、内側操作部材９の中央部（中央部寄りの部位も含む）に相当する箇所（ポイント）Ｐを扉７の内壁面７ｃに向って矢印Ａ方向へ押圧すると、内側操作部材９はハンドル枢軸３０を支点にして矢印方向に回転するから、作用点を有する杵３５は矢印Ｂ方向へと位置変位して駆動体５２を押す。
【００３０】
したがって、先願の実施形態（図１、図２）と本発明とを比較すると、先願のハンドル枢軸３０よりも著しく離れた位置、すなわち、内側操作部材９の上端部側に内側の突片状作動片（杵）３５が設けられているのに対して、本発明は、その逆であることから、バール操作の原理により、小さな操作力であっても、枢着部側に設けられた突片状作動片（杵）３５の作用端に大きな力が作用し、駆動体５２を容易に動かすことができる。
【００３１】
図４乃至図１９を参照にして、実施化レベルの第１実施形態を説明する。図４は、図１と相違し、図面右側に「プッシュ側のハンドル装置Ｙ」の一例を示している（図３と同様）。したがって、図面左側が「プル側のハンドル装置Ｚ」である。そこで、まず、図５乃至図１４を参照にして図面右側のプッシュ側のハンドル装置Ｙを説明し、その後、図１５乃至１８を参照にして図面左側のプル側のハンドル装置Ｚを説明する。
【００３２】
図５で示す長杆状のハンドル９は内側ハンドルである。この内側操作部材９は、実施形態では、握り部分を有する長尺状の直接ハンドル９Ａと、その外観上の外表面部分がハンドルの一部を構成するように前記直接ハンドル９Ａの自由端部に可動結合ピン４０を介して接続状態に軸支され、かつ連係手段４３を介して連結された短杆状の間接ハンドル９Ｂとから成る。
【００３３】
この内側操作部材９を構成する直接ハンドル９Ａの基端部（図面上では下端部）９ａの内面にハンドル枢軸３０に軸支される枢着部９ｂが突設され、また前記基端部寄り部位（基端部側）の内面に突設された枢着部側連結突起部分９ｃに、図７及び図９で示すハンドル連結作動リンク（方向変換片）３２の一端部３２ａが可動軸ａを介して枢着され、該ハンドル連結作動リンク（方向変換片）３２は、その中央部３２ｂが第１固定軸３１で軸支されていると共に、その他端部３２ｃに第２固定軸３４に軸支されたテコ式の突片状作動片（内作動片）３５の一端部３５ａが連結されている。そして、前記突片状作動片（内作動片）３５の他端部３５ｃは箱体８内の駆動体５２に係合可能である。
【００３４】
さらに、図５、図６、図７を参照にして直接ハンドル９Ａの構成を説明する。枢着部９ｂよりも多少上方に位置する枢着部側連結突起部分９ｃは、直接ハンドル９Ａの中央部（Ｏ）よりも下方（ここでは「枢着部側」或いは「基端部側」とする）の内壁面に突設され、前記中央部（Ｏ）よりも下方の部位は、ここでは「ハンドル枢軸側」の概念に含まれる。この枢着部側連結突起部分９ｃを設けた理由は、枢着部９ｂに作用端を有する杵を設けるよりも、該枢着部９ｂよりも多少離れた部位に動く物（ハンドル）の力点を設定することにより、杵の振れ角を大きく取ることができるからである。
【００３５】
そして、実施形態では、長尺状の直接ハンドル９Ａの外表面部分は緩やかなカーブを描いて弧状に形成され、該カーブに続くように短杆状の間接ハンドル９Ｂの外表面部分も緩やかなカーブを描いてやや弧状に形成され、その結果、内側操作部材９の外表面部分は全体として一つの弓状の外観を呈している。好ましくは、可動結合ピン４０で連結された関節部分に相当する直接ハンドル９Ａの自由端部（図面上は上端部）９ｂと、短杆状の間接ハンドル９Ｂの接続部分に相当する下端部の隙間は極力小さくする。
【００３６】
また直接ハンドル９Ａは、枢着部９ｂの付近に所要の間隔を有してやや短い板状の第１指詰め防止片１１を有している。この板状第１指詰め防止片１１は、直接ハンドル９Ａを握って操作する際に、ケース状の第１台座（下方台座）２８の上側壁と直接ハンドル９Ａの内表面部分との間に生じている間隙に小指を挟めないようにするためのものである。
同様の趣旨から、親指等を挟めないように直接ハンドル９Ａの上端部（自由端部）９ｄの内側にも前記板状第１指詰め防止片１１よりも多少長い板状の第２指詰め防止片１２がケース状の第２台座（上方台座）２７の下側壁の開口を塞ぐように設けられている。
【００３７】
さらに、前記板状第２指詰め防止片１２よりも上方の自由端部には、ケース状の第２台座（上方台座）２７内へと斜め方向に突出するハンドル補助片１３が設けられ、該ハンドル補助片１３は、手首が曲がるように位置変位した可動結合ピン４０を含むハンドルの関節部分に余分な負荷がかからないように前記第２台座２７を介して所定位置で止める。付言すると、指状ハンドル補助片１３は、図１４で示すように第２台座２７の開口部内の内壁面に直接又は間接的（実施形態）に当接する。
【００３８】
一方、下端部が直接ハンドル９Ａの自由端部の不番の軸孔に可動結合ピン４０を介して連結された短杆状の間接ハンドル９Ｂは、その上端部がケース状の第２台座（上方台座）２７の前面開口に入り込む指先状の内側突出部分９ｆを有する盤状体、その外表面部分９ｅの、少なくとも左右側面に指詰防止用側壁９ｇが突片状に連設形成され（実施形態）、これらの突片状指詰防止用側壁９ｇと前面側に開口部を有するケース状の第２台座２７の左右側壁との間には、少なくとも指が入り込むような間隙を有しない。
【００３９】
さらに、実施形態では、短杆状の間接ハンドル９Ｂの略中央部或いは上端部寄りの部位の内面にガイドピン４３ａを有する突片１４が設けられ、前記ガイドピン４３ａとケース状の第２台座（上方台座）２７に直接又は間接的に設けられた案内長孔４３ｂは、内側操作部材９の連係手段４３を構成している。
【００４０】
付言すると、連係手段４３は、直接ハンドル９Ａを押し込んだ際に可動結合ピン４０が扉の内壁面側に位置変位するために必要な構成要素で、実施形態では、可動結合ピン４０が扉の内壁面側に位置変位すると、ガイドピン４３ａは付勢手段２９の付勢力に抗しながら垂直方向の案内長孔４３ｂに案内されて上方に移動する。さらに、２９は上方台座２７に配設された短杆状間接ハンドル９Ｂ用の付勢バネで、この付勢バネ２９は、その一端部が上方台座２７に内面に圧接し、一方、他端部はガイドピン４３ａに圧接している。
【００４１】
以上にように、実施形態の内側操作部材９は、初期状態では、外観上略１つのハンドルに見えるものの、握り部分を有する長尺状の直接ハンドル９Ａと、その外観上の外表面部分がハンドルの一部を構成するように前記直接ハンドル４０の自由端部に可動結合ピン４０を介して接続状態に軸支され、前記連係手段４３を介して上方台座２７に連結された短杆状の間接ハンドル９Ｂとから成るので、少なくとも内側操作部材９は、直接ハンドル９Ａと間接ハンドル９Ｂを任意に押し込むことができる。しかしながら、基本的には、直接ハンドル９Ａの連結突起部分９ｄと枢着部側連結突起部分９ｃの略中央部が操作者の握り締める箇所（操作ポイント）Ｐである。
【００４２】
次に、図７は第１台座２８から構成部材の一部を分離した説明図である。また図８は第１台座（下方台座）２８の説明図である。さらに、図９は直接ハンドル９Ａの枢着部側（下端部）の構成、方向変換片３２、突片状作動片３５等の説明図である。これらの図に於いて、突片状作動片（杵）３５は、中央部３５ｂに前述した第２固定軸３４用の軸孔が形成され、この中央部３５ｂの軸孔を基準として、図面上の右端部に相当する一端部３５ａに連結ピン用の軸孔が形成され、一方、図面上左端部に相当する指状他端部３５ｃが、駆動体を押圧する作用端部と成る。
【００４３】
したがって、内側操作部材９の略中央部の握り部分Ｐをプッシュすると、内側操作部材９は基端部９ａのハンドル枢軸３０を支点にして反時計方向へ回転して傾倒状態に成る。この時、枢着部側連結突起部分９ｃの可動軸ａは扉の内壁面７ｃ側へ位置変位するので、その中央部３２ｂが第１固定軸３１で軸支されている方向変換片（第１ハンドル連結作動リンク）３２は、反時計方向へと回転する。そうすると、第２固定軸３４に軸支されている突片状作動片３５は、時計方向に回転し、その作用端部３５ｃで駆動体５２を上方に持ち上げる（図１４参照）。
【００４４】
ここで、図７及び図８を参照にして第１台座（下方台座）２８の構成を説明する。第１台座２８は、図１９で示すように、扉７の内壁面７ｃの自由端部に固着具を介して固定されるケース状の台座本体６１と、この台座本体６１の内部に固定される軸受体６２とから成る。前記台座本体６１は、下端部６１ａに図示しないサムターン装置を組み込むための円筒状の開口部６３を有する。この円筒状開口部６３よりも上方には前面開口部６４が形成され、該前面開口部６４から軸受体６２が組み込まれる。前面開口部６４は、直接ハンドルが内側に位置変位することができるように、その前壁を垂直方向に切欠した前開口と、該前開口に連通する上壁の一部を切欠した上開口とから成る。
【００４５】
また前記軸受体６２は、図８で示すように左右一対の軸受板部分６２ａと、該軸受板部分の後端部を連結する連結板部分６２ｂから成り、前記軸受板部分６２ａには、下方から前述したハンドル枢軸３０用軸孔３０ａ、第２固定軸３４用の軸孔３４ａ、ガイドピン３３ａ用の不番の規制長孔、第１固定軸３１用の軸孔３１ａが適宜に形成されている。
そして、実施形態では、内側操作部材９が二分割されていることから、直接ハンドル用付勢手段として圧縮バネ６５が、ケース状台座本体６１に内装した軸受け体６２のバネ端支持部６６と直接ハンドル９Ａの枢着部側連結突起部９ｃの先端部に設けたバネ端支持部６７との間に介在する。
【００４６】
また図１１及び図１２を参照にして第２台座（上方台座）２７の構成を説明する。図１２に示した第２台座２７と図８に示した第１台座２８とを比較すると明らかなように、第２台座２７と第１台座２８は、デザインの統一性の観点から略同一構成である。したがって、便宜上同一の符号を付すと共に、細部的事項の説明は割愛する。
【００４７】
しかして、６１は前面開口部６４を有する上方の台座本体、６２は左右一対の軸受板部分で、該軸受板部分６２ａには、垂直案内長孔４３ｂ、バネ支持ピン６８用支持孔６９を有し、前記バネ支持ピン６６には間接ハンドル用付勢バネ２９の中央部が取付けられる。また前記垂直案内長孔４３ｂに間接ハンドル９Ｂの下端部に設けられたガイドピン４３ａが案内される。また６２ｂは左右の軸受板部分６２ａに直交する連結板部分である。
次に、図１５乃至１８を参照にして、好ましくはプッシュ側のハンドル装置Ｙと共に使用される「プル側のハンドル装置Ｚ」について説明する。
【００４８】
図面左側のプル側のハンドル装置Ｚは、先願の図２の右側に説図したそれと対比することができる。プル側のハンドル装置Ｚは、外側操作部材１０の基端部１０ａの内面にハンドル枢軸１８に軸支される枢着部１０ｂが突設され、また前記基端部寄りの下部内面に突設された枢着部側連結突起部分１０ｃにその中央部２３ｂが下方の第１台座１６側の固定軸２２に軸支されたテコ式の突片状作動片２３の一端部２３ａが、前記枢着部１０ｂによも多少上方に離れた位置に突設された枢着部側連結突起部分１０ｃに可動軸ａを介して直接的に連結され、該突片状作動片２３の他端部２３ｃは外側操作部材１０の作用端部としてラッチ錠Ｘの錠箱８或いは扉の開動助勢機構５１を備えた箱体８内に設けられた駆動体５２に係合し、さらに、外側操作部材１０の他端部側（図面上では上端部側）は、その突起部分１４Ａに連係手段２１を介して第２台座１５に連結され、前記連係手段２１を構成するガイドピン２１ａに外側付勢手段１７の作用端部が圧接する。
【００４９】
ここで、初期状態を示す図１５及び外側操作部材１０をプルした状態を示す図１６を参照にして外側操作部材１０の構成について説明する。なお、外側操作部材１０、外側の第１・第２支持台１６、１５等は、デザイン上の統一性を図るために、内側操作部材９、内側の第１・第２支持台２８、２７等と略同一構成を採用しているので、説明の便宜上、同一の部分には同一又は同様の符号を付して重複する説明を割愛する。
【００５０】
しかして、外側の第１・第２支持台１６、１５は、内側の第１・第２支持台２８、２７と同様に、ケース状の台座本体６１Ａと、この台座本体６１Ａの内部に固定される軸受体６２Ａとから成る。また、室外側のプル式ハンドル（外側操作部材）１０も、室内側のプッシュ式ハンドル（内側操作部材）９と同様に、握り部分を有する長尺状の直接ハンドル１０Ａと、その外観上の外表面部分がハンドルの一部を構成するように前記直接ハンドルの自由端部に可動結合ピン４０Ａを介して接続状態に軸支され、かつ連係手段２１を介して第２台座１５に連結された短杆状の間接ハンドル１０Ｂとから成る。
【００５１】
したがって、長尺状の直接ハンドル１０Ａの外表面部分は緩やかなカーブを描いて弧状に形成され、該カーブに続くように短杆状の間接ハンドル１０Ｂの外表面部分も緩やかなカーブを描いてやや弧状に形成され、その結果、外側操作部材の外表面部分は全体として一つの弓状の外観を呈している。
【００５２】
付言すると、図面上、直接ハンドル１０Ａの下端部に相当する基端部１０ａの内面には枢着部１０ｂが突設されている。この枢着部１０ｂよりも多少離れた上方に位置に枢着部側連結突起部分１０ｃが突設されている。この枢着部側連結突起部分１０ｃは、長杆状の外側操作部材１０の中央部（Ｏ）よりも下方（ここでは「下部」とする）の内壁面に突設され、前記中央部（Ｏ）よりも下方の部位は、内側操作部材９と同様に「ハンドル枢軸側」の概念に含まれる。
【００５３】
また可動結合ピン４０Ａを介して接続状態に連結された短杆状の間接ハンドル１０Ｂの上端部（上端部寄りの部位も含む）の上部内面には、ガイドピン２１ａを有する突起部分１４Ａが設けられている。そして、符号１１Ａは第１指詰め防止片、１２Ａは第２指詰め防止片、１３Ａはハンドル補助片である。
【００５４】
実施形態では、短杆状の間接ハンドル１０Ｂは、操作片としての機能を有さず、内外のデザインの統一性の観点から、内側操作部材９と同様の外観構成を採用している。
したがって、長尺状の直接ハンドル１０Ａのみが操作体であり、可動結合ピン４０Ａ及びハンドル補助片１３Ａを有する上端部と枢着部１０ｂを有する下端部の略中央部が操作者の握り締める箇所（操作ポイント）Ｐである。また前記ハンドル補助片１３Ａは、その先端部に第２台座に係合する係止ピンを有している。
【００５５】
さらに付言すると、６２Ａはハンドル枢軸側に設けられた直接ハンドル用の軸受体で、この軸受体６２Ａには、可動軸ａが遊嵌する矩形状の案内孔と、該案内孔よりも下方の部位に形成された固定軸２２用の軸孔がそれぞれ形成されている。
【００５６】
また図１７は、ハンドル枢軸１８側に設けられた外側の突片状作動片２３の説明図で、該突片状作動片２３の上端部２３ａには可動軸ａが遊嵌する係合孔ｄが形成され、またその中央部２３ｂには固定軸２２用の軸孔ｅが形成されている。突片状作動片２３の指先状に延在する下端部２３ｃは、前述したように動く物の作用端部として箱体８内の駆動体５２を動かす。なお、ハンドル装置を初期位置へと戻す付勢手段は、第１台座、第２台座、箱体内に適宜に配設することができる。
【実施例】
【００５７】
この欄では、図２０乃至図２９を参照にして本発明の実施化レベルの第２実施形態を説明する。なお、第２実施形態の説明に当たって、前記第１実施形態と同一の構成部分には、便宜上、同一の符号を付して重複する説明を割愛する。また第１実施形態と同様の図面を数多く示して重複する説明を割愛する。
【００５８】
さて、第２実施形態が前記第１実施形態と主に異なる所は、（ａ）  関節部分等の損傷防止という本発明の第３の課題を達成するために、図２４に示すようにプッシュ側に上下のストップ部７１、７２を設けた点、（ｂ）また同様に本発明の第３の課題を達成するために、図２８に示すようにプル側にも上下のストップ部７３、７４を設けた点、（ｃ）また、例えば図２３、図２５に示すようにプッシュ側の第１台座２８Ａ及び第２台座２７Ａにサムターン装置を組み込むための開口部を形成していない点、（ｄ）また、例えば図２６、図２７に示すようにプル側の第１台座１６Ａ及び第２台座１５Ａにシリンダ装置を組み込むための開口部を形成していない点、（ｅ）さらに、プル側のハンドル装置Ｚの意匠上の美観性を考慮しつつ、外側操作部材１０を所要位置まで位置変位させることができるように、直接ハンドル１０Ａの下端部を第１台座１６Ａの下端部の下端面に至るように延在すると共に、前記直接ハンドル１０Ａの下端部の突片状内面と前記第１台座１６Ａの下端部の前面との間に多少の空隙を設けた点、（ｆ）同様に、プル側のハンドル装置Ｚの意匠上の美観性を考慮しつつ、外側操作部材１０を所要位置まで位置変位させることができるように、間接ハンドル１０Ｂの上端部を第２台座１５Ａの上端部の上端面に至るように延在すると共に、前記間接ハンドル１０Ｂの上端部の突片状内面と前記第２台座１５Ａの上端部の前面との間に多少の空隙を設けた点である。
【００５９】
上記（ａ）のプッシュ側の相違点に関して、図２４、図２５、図２７を参照にして説明すると、長尺状の直接ハンドル９Ａの上端部９ｄに連設形成された指状のハンドル補助片１３の立上り状先端部の外面に突起状の第１ストップ部７１が設けられ、この突起状第１ストップ部７１は、図２５で示すようにプッシュ式ハンドル９が付勢手段２９の付勢力により初期位置へと戻った際に、それ以上外方向へ位置変位しないように短杆状の間接ハンドル９Ｂの可動結合ピン４０側の内壁面に当接する。それと同時に前記短杆状の間接ハンドル９Ｂの上端部に形成した指先状内側突起部分９ｆが第２台座１５Ａを構成する軸受体６２の段差状部分に当接する。したがって、ここでは前記指先状内側突起部分９ｆの先端部が突起状第２ストップ部７２に相当する。なお、前記指先状内側突起部分９ｆの先端部の形状は発明の効果を得ることができる範囲で任意に設計変更可能である。
【００６０】
また（ｂ）のプル側の相違点に関して、図２４、図２６、図２８を参照にして説明すると、長尺状の直接ハンドル１０Ａの上端部又は該直接ハンドル１０Ａの上端部に連設形成された指状のハンドル補助片１３のいずれか、実施形態では前記上端部の傾斜状外面１０ｄに当接することができるように短杆状の間接ハンドル１０Ｂの下端部の内面に膨出状或いは突起状の第１ストップ部７３が設けられ、この突起状第１ストップ部７３は、図２６で示すようにプル式ハンドル１０を付勢手段１７の付勢力に抗して外側にプルした際に、それ以上外方向へ位置変位しないように前記上端部の傾斜状外面１０ｄに当接する。それと同時に、短杆状の間接ハンドル１０Ｂのガイドピン２１ａ側の上端部の内側小突部７４が第２台座１５Ａの上端部の傾斜状外面（第２台座の内壁側の左右側面又は短杆状の間接ハンドル１０Ｂの内面周縁部の設計如何によっては、第２台座の内壁側の左右側面も含む）に当接する。したがって、ここでは、例えば上端部の内側小突部が突起状第２ストップ部７４に相当する。
【００６１】
それ故に、この第２実施形態は、内外の操作部材９，１０をそれぞれ操作した時、及びそれぞれ操作した後の両方の態様に於いて、ハンドルの関節部分等の損傷防止という本発明の第３の目的を第１実施形態よりも完璧に達成することができる。
【産業上の利用可能性】
【００６２】
本発明は錠前及び建具の分野で利用される。
【符号の説明】
【００６３】
Ｘ…ラッチ錠、Ｙ…プッシュ側のハンドル装置、Ｚ…プル側のハンドル装置、Ｐ…握り部分、７…扉、８…箱体（錠箱）、９…内側操作部材、９Ａ、１０Ａ…直接ハンドル、９Ｂ、１０Ｂ…間接ハンドル、９ａ，１０ａ…基端部、９ｂ，１０ｂ…枢着部、９ｃ，１０ｃ…枢着部側連結突起部分、１０…外側操作部材、９ｄ、１０ｄ…間接ハンドルの上端部、１１、１１Ａ…第１指詰め防止片、１２、１２Ａ…第２指詰め防止片、１３、１３Ａ…ハンドル補助片、１４、１４Ａ…突起部分、２２…第１台座側の固定軸、１５，２７…上方台座（第２台座）、１６，２８…下方台座（第１台座）、１７…外側付勢手段、２１ａ…ガイドピン、２１ｂ…ガイドピン用規制長孔、２９、６５…内側付勢手段、１８，３０…ハンドル枢軸、３１…第１固定軸、３２…第１ハンドル連結作動リンク（変換片）、３４…第２固定軸、ａ…可動軸、２３，３５…突片状作動片、２３ｃ，３５ｃ…作用端部、４１…固定軸、２１、３６，４３…連係手段、４３ａ…ガイドピン、４３ｂ…案内長孔、５２…駆動体、６１、６１Ａ…台座本体、６２、６２Ａ…軸受体、７１，７３…第１ストップ部、７２，７４…第２ストップ部。
【図１】
2015092051.tif 000003
【図２】
2015092051.tif 000004
【図３】
2015092051.tif 000005
【図４】
2015092051.tif 000006
【図５】
2015092051.tif 000007
【図６】
2015092051.tif 000008
【図７】
2015092051.tif 000009
【図８】
2015092051.tif 000010
【図９】
2015092051.tif 000011
【図１０】
2015092051.tif 000012
【図１１】
2015092051.tif 000013
【図１２】
2015092051.tif 000014
【図１３】
2015092051.tif 000015
【図１４】
2015092051.tif 000016
【図１５】
2015092051.tif 000017
【図１６】
2015092051.tif 000018
【図１７】
2015092051.tif 000019
【図１８】
2015092051.tif 000020
【図１９】
2015092051.tif 000021
【図２０】
2015092051.tif 000022
【図２１】
2015092051.tif 000023
【図２２】
2015092051.tif 000024
【図２３】
2015092051.tif 000025
【図２４】
2015092051.tif 000026
【図２５】
2015092051.tif 000027
【図２６】
2015092051.tif 000028
【図２７】
2015092051.tif 000029
【図２８】
2015092051.tif 000030
【図２９】
2015092051.tif 000031